(57)【要約】  電子装置は、一次コイル１０と、前記一次コイル１０に対向して配置される二次コイル２０と、前記一次コイル１０及び前記二次コイル２０を封止する封止樹脂からなるコイル封止部５０と、前記一次コイル１０に電気的に接続された一次側電子素子１１０と、前記二次コイル２０に電気的に接続された二次側電子素子２１０と、を有する。前記一次側電子素子１１０は前記一次コイル１０から前記コイル封止部５０の外方に延びた一次側延在部６０に設けられる、又は前記二次側電子素子２１０は前記二次コイル２０から前記コイル封止部５０の外方に延びた二次側延在部７０に設けられる。
2020003482.tif 000002
【特許請求の範囲】
【請求項１】
（基本構成）
一次コイルと、
前記一次コイルに対向して配置される二次コイルと、
前記一次コイル及び前記二次コイルを封止する封止樹脂からなるコイル封止部と、
前記一次コイルに電気的に接続された一次側電子素子と、
前記二次コイルに電気的に接続された二次側電子素子と、
を備え、
前記一次側電子素子は前記一次コイルから前記コイル封止部の外方に延びた一次側延在部に設けられる、又は前記二次側電子素子は前記二次コイルから前記コイル封止部の外方に延びた二次側延在部に設けられる電子装置。
【請求項２】
（両方備える）
前記一次側電子素子は前記一次コイルから前記コイル封止部の外方に延びた一次側延在部に設けられ、
前記二次側電子素子は前記二次コイルから前記コイル封止部の外方に延びた二次側延在部に設けられる請求項１に記載の電子装置。
【請求項３】
（一次側接続体）
前記一次側電子素子は、一次側第一電子素子と、前記一次側第一電子素子に設けられた一次側接続体と、前記一次側接続体に設けられた一次側第二電子素子と、を有する請求項１に記載の電子装置。
【請求項４】
（二次側接続体）
前記二次側電子素子は、二次側第一電子素子と、前記二次側第一電子素子に設けられた二次側接続体と、前記二次側接続体に設けられた二次側第二電子素子と、を有する請求項１に記載の電子装置。
【請求項５】
（第一コイルと第二コイル）
前記一次コイルは、第一コイルと、前記第一コイルに連結された第二コイルとを有することを特徴とする請求項１に記載の電子装置。
【請求項６】
（第一コイルはリードフレーム）
前記第一コイルはリードフレームからなる請求項５に記載の電子装置。
【請求項７】
（第一屈曲部）
前記一次側電子素子は前記一次コイルから前記コイル封止部の外方に延びた一次側延在部に設けられ、
前記コイル封止部と前記一次側電子素子との間において、前記一次側延在部に第一屈曲部が設けられる請求項１に記載の電子装置。
【請求項８】
（第二屈曲部）
前記二次側電子素子は前記二次コイルから前記コイル封止部の外方に延びた二次側延在部に設けられ、
前記コイル封止部と前記二次側電子素子との間において、前記二次側延在部に第二屈曲部が設けられる請求項１に記載の電子装置。
【請求項９】
（第一屈曲部及び第二屈曲部を有し、冷却体に当接可能）
前記一次側電子素子は前記一次コイルから前記コイル封止部の外方に延びた一次側延在部に設けられ、
前記コイル封止部と前記一次側電子素子との間において、前記一次側延在部に第一屈曲部が設けられ、
前記二次側電子素子は前記二次コイルから前記コイル封止部の外方に延びた二次側延在部に設けられ、
前記コイル封止部と前記二次側電子素子との間において、前記二次側延在部に第二屈曲部が設けられ、
前記一次側電子素子を封止する一次側封止部が設けられ、
前記二次側電子素子を封止する二次側封止部が設けられ、
前記コイル封止部の裏面、前記一次側封止部の裏面及び前記二次側封止部の裏面は冷却体に当節可能となる請求項１に記載の電子装置。
【発明の詳細な説明】
【技術分野】
【０００１】
本発明は、一次コイル及び二次コイルを有する電子装置に関する。
【背景技術】
【０００２】
従来、一次コイル及び二次コイルを有するトランスにおいて、各コイルでの電気的な絶縁を保つために、各コイルを構成する配線間に絶縁シートを設けることが一般的であった。しかしながら、このような絶縁シートを設ける場合には、絶縁シートの間に不可避的に空間が形成されてしまうことから、熱伝導率が下がってしまうという問題がある。特開２０１４−５６８６８号では熱伝導性の良好な樹脂を用いて放熱性を確保することが提案されているものの、放熱性の観点からはまだ十分なものとは言えなかった。【０００３】
また、従来から特開平５−２８３２４７のようにコイルを樹脂封止することは提案されているが、単純に一つのコイルを樹脂封止することが提案されるに留まっている。【０００４】
また、従来、ＤＣ−ＣＤコンバータにおいて一次側モジュール、トランス及び二次側モジュールは各々が独立しており、トランスサイズやトランスの位置関係の制約で各モジュール間の配線長が長くなるとともに、大きさが大きなものとなっていた。
【発明の概要】
【発明が解決しようとする課題】
【０００５】
本発明は、一次コイル及び二次コイルを有する電子装置において、熱伝導率を上げて放熱性を高めるとともに、配線長を短くし、かつ大きさを小さくすることができる態様を提供する。
【課題を解決するための手段】
【０００６】
［概念１］
本発明による電子装置は、
一次コイルと、
前記一次コイルに対向して配置される二次コイルと、
前記一次コイル及び前記二次コイルを封止する封止樹脂からなるコイル封止部と、
前記一次コイルに電気的に接続された一次側電子素子と、
前記二次コイルに電気的に接続された二次側電子素子と、
を備え、
前記一次側電子素子は前記一次コイルから前記コイル封止部の外方に延びた一次側延在部に設けられ、又は前記二次側電子素子は前記二次コイルから前記コイル封止部の外方に延びた二次側延在部に設けられてもよい。【０００７】
［概念２］
本発明の概念１による電子装置において、
前記一次側電子素子は前記一次コイルから前記コイル封止部の外方に延びた一次側延在部に設けられ、
前記二次側電子素子は前記二次コイルから前記コイル封止部の外方に延びた二次側延在部に設けられてもよい。【０００８】
［概念３］
本発明の概念１又は２による電子装置において、
前記一次側電子素子は、一次側第一電子素子と、前記一次側第一電子素子に設けられた一次側接続体と、前記一次側接続体に設けられた一次側第二電子素子と、を有してもよい。【０００９】
［概念４］
本発明の概念１乃至３のいずれか１つによる電子装置において、
前記二次側電子素子は、二次側第一電子素子と、前記二次側第一電子素子に設けられた二次側接続体と、前記二次側接続体に設けられた二次側第二電子素子と、を有してもよい。【００１０】
［概念５］
本発明の概念１乃至４のいずれか１つによる電子装置において、
前記一次コイルは、第一コイルと、前記第一コイルに連結された第二コイルとを有してもよい。【００１１】
［概念６］
本発明の概念５による電子装置において、
前記第一コイルはリードフレームからなってもよい。【００１２】
［概念７］
本発明の概念１乃至６のいずれか１つによる電子装置において、
前記一次側電子素子は前記一次コイルから前記コイル封止部の外方に延びた一次側延在部に設けられ、
前記コイル封止部と前記一次側電子素子との間において、前記一次側延在部に第一屈曲部が設けられてもよい。【００１３】
［概念８］
本発明の概念１乃至７のいずれか１つによる電子装置において、
前記二次側電子素子は前記二次コイルから前記コイル封止部の外方に延びた二次側延在部に設けられ、
前記コイル封止部と前記二次側電子素子との間において、前記二次側延在部に第二屈曲部が設けられてもよい。【００１４】
［概念９］
本発明の概念１乃至８のいずれか１つによる電子装置において、
前記一次側電子素子は前記一次コイルから前記コイル封止部の外方に延びた一次側延在部に設けられ、
前記コイル封止部と前記一次側電子素子との間において、前記一次側延在部に第一屈曲部が設けられ、
前記二次側電子素子は前記二次コイルから前記コイル封止部の外方に延びた二次側延在部に設けられ、
前記コイル封止部と前記二次側電子素子との間において、前記二次側延在部に第二屈曲部が設けられ、
前記一次側電子素子を封止する一次側封止部が設けられ、
前記二次側電子素子を封止する二次側封止部が設けられ、
前記コイル封止部の裏面、前記一次側封止部の裏面及び前記二次側封止部の裏面は冷却体に当節可能となってもよい。
【発明の効果】
【００１５】
本発明の一態様として、一次側電子素子が一次コイルからコイル封止部の外方に延びた一次側延在部に設けられる、又は二次側電子素子が二次コイルからコイル封止部の外方に延びた二次側延在部に設けられる態様を採用した場合には、配線長を短くすることができ、また大きさを小さくすることができる。【００１６】
また、本発明の一態様として、一次コイル及び二次コイルを封止する封止樹脂からなるコイル封止部が設けられる態様を採用した場合には、従前利用されていたような絶縁シートを必ずしも設ける必要がなくなり、ひいては絶縁シートの間に不可避的に形成されていた空間をなくすことができる。このため、熱伝導率を上げることができ、放熱性を高めることができる。
【図面の簡単な説明】
【００１７】
【図１】図１は、本発明の第１の実施の形態で用いられうる電子装置をリードフレームから分離する前を示した平面図である。
【図２】図２は、本発明の第１の実施の形態で用いられうる電子装置をリードフレームから分離する前を示した平面図であって、一次側接続体及び二次側接続体が設けられた態様を示した平面図である。
【図３】図３は、本発明の第１の実施の形態で用いられうるコイル封止部、一次側封止部及び二次側封止部を示した図１に対応する平面図である。
【図４】図４は、本発明の第１の実施の形態で用いられうる一次コイル、二次コイル等を示した斜視図である。
【図５】図５は、本発明の第１の実施の形態で用いられうる一次コイル及び二次コイルを示した側方図である。
【図６】図６は、本発明の第１の実施の形態で用いられうる一次側電子素子及び二次側電子素子を示した側方断面図である。
【図７】図７は、本発明の第１の実施の形態で用いられうる一次側電子素子及び二次側電子素子の別の態様を示した側方断面図である。
【図８】図８は、本発明の第１の実施の形態で用いられうる第一電子モジュール側の態様を示した斜視図である。
【図９】図９は、本発明の第１の実施の形態で用いられうる第二電子モジュール側の態様を示した斜視図である。
【図１０】図１０は、本発明の第１の実施の形態で用いられうるコイル封止部、一次側封止部及び二次側封止部と冷却体との関係を示した側方図である。
【図１１】図１１は、本発明の第１の実施の形態で用いられうるコイル封止部とコアとの関係を示した側方図である。
【図１２】図１２は、本発明の第２の実施の形態で用いられうる一次側電子素子及び一次側接続体を示した側方図である。
【図１３】図１３は、本発明の第３の実施の形態で用いられうる二次側電子素子及び二次側接続体を示した側方図である。
【図１４】図１４は、本発明の第４の実施の形態で用いられうるコイル封止部、一次側封止部及び二次側封止部と冷却体との関係を示した側方図である。
【図１５】図１５は、本発明の第５の実施の形態で用いられうるコイル封止部、一次側封止部及び二次側封止部と冷却体との関係を示した側方図である。
【図１６】図１６は、本発明の第６の実施の形態で用いられうるコイル封止部、一次側封止部及び二次側封止部と冷却体との関係を示した側方図である。
【図１７】図１７は、本発明の実施の形態で用いられうる一次側封止部と二次側封止部の配置態様の一例を示した平面図である。
【発明を実施するための形態】
【００１８】
第１の実施の形態
《構成》
本実施の形態において、「一方側」は図５の上方側を意味し、「他方側」は図５の下方側を意味する。図５の上下方向を「第一方向」と呼び、左右方向を「第二方向」と呼び、紙面の表裏方向を「第三方向」と呼ぶ。第二方向及び第三方向を含む面内方向を「面方向」といい、一方側から見た場合には「平面視」という。
【００１９】
図１に示すように、本実施の形態による電子装置は、一次コイル１０と、一次コイル１０に対向して配置される二次コイル２０と、一次コイル１０及び二次コイル２０を封止する封止樹脂からなるコイル封止部５０（図３参照）と、一次コイル１０に電気的に接続された一次側電子素子１１０と、二次コイル２０に電気的に接続された二次側電子素子２１０と、を有してもよい。一次コイル１０はリードフレームから構成されてもよい。二次コイル２０の厚みは一次コイル１０の厚みよりも厚くなってもよい。
【００２０】
図４に示すように、一次側電子素子１１０は一次コイル１０からコイル封止部５０の外方に延びた一次側延在部６０に設けられてもよい。二次側電子素子２１０は二次コイル２０からコイル封止部５０の外方に延びた二次側延在部７０に設けられてもよい。
【００２１】
図３に示すように、一次側電子素子１１０は一次側封止部１５０によって封止されてもよい。一次側封止部１５０は一次側封止樹脂から構成されてもよい。二次側電子素子２１０は二次側封止部２５０によって封止されてもよい。二次側封止部２５０は二次側封止樹脂から構成されてもよい。一次側封止樹脂と二次側封止樹脂とは同じ樹脂材料から構成されてもよいし、異なる樹脂材料から構成されてもよい。
【００２２】
図６に示すように、一次側電子素子１１０の一方面には一次側第一電極（例えばソース電極）１１１及び一次側第二電極（例えばゲート電極）１１２が設けられ、一次側電子素子１１０の他方面には一次側第三電極（例えばドレイン電極）１１３が設けられてもよい。一次側第一電極１１１と一次側導体層１３０とは一次側第一接続子１１６（図１参照）とはんだ等の導電性接着剤（図示せず）を介して接続されてもよい。一次側第二電極１１２と一次側導体層１３０とは一次側第二接続子１１７（図１参照）とはんだ等の導電性接着剤を介して接続されてもよい。一次側第三電極１１３と一次側導体層１３０とははんだ等の導電性接着剤を介して接続されてもよい。また、図７に示すように、一次側電子素子１１０の一方面には一次側第一電極１１１が設けられ、一次側電子素子１１０の他方面には一次側第二電極１１２が設けられてもよい。
【００２３】
図７に示すように、二次側電子素子２１０の一方面には二次側第一電極２１１が設けられ、二次側電子素子２１０の他方面には二次側第二電極２１２が設けられてもよい。二次側第一電極２１１と二次側導体層２３０とは二次側第一接続子とはんだ等の導電性接着剤を介して接続されてもよい。また、図６に示すように、二次側電子素子２１０の一方面には二次側第一電極（例えばソース電極）２１１及び二次側第二電極（例えばゲート電極）２１２が設けられ、二次側電子素子２１０の他方面には二次側第三電極（例えばドレイン電極）２１３が設けられてもよい。二次側第三電極２１３と二次側導体層２３０とははんだ等の導電性接着剤を介して接続されてもよい。
【００２４】
図８に示すように、第一電子モジュール１００は、一次側基板１２０と、一次側基板１２０の一方面に設けられた複数の一次側導体層１３０と、一次側導体層１３０の一方面に設けられた一次側電子素子１１０と、を有してもよい。一次側電子素子１１０、一次側基板１２０の一方側の面及び一次側導体層１３０の一方側の面は一次側封止部１５０によって封止されてもよい（図３参照）。
【００２５】
図９に示すように、第二電子モジュール２００は、二次側基板２２０と、二次側基板２２０の一方面に設けられた複数の二次側導体層２３０と、二次側導体層２３０の一方面に設けられた二次側電子素子２１０と、を有してもよい。二次側電子素子２１０、二次側基板２２０の一方側の面及び二次側導体層２３０の一方側の面は二次側封止部２５０によって封止されてもよい。
【００２６】
図８の左側の２つの一次側電子素子１１０で示されているように、一次側延在部６０の一方側及び他方側の各々に一次側電子素子１１０が設けられてもよい。一例として、一次側延在部６０の他方側に位置する一次側電子素子１１０の一次側第一電極（例えばソース電極）１１１と一次側延在部６０の一方側に位置する一次側電子素子１１０の一次側第三電極（例えばドレイン電極）１１３とが一次側延在部６０で電気的に接続されてもよい。
【００２７】
図８の最も左側の一次側電子素子１１０と最も右側の一次側電子素子１１０で示されているように、一次側延在部６０の一方側に設けられた複数の一次側電子素子１１０を接続するための一次側接続体１９０が設けられてもよい。一例として、一次側延在部６０の一方側に位置する複数の一次側電子素子１１０の一次側第一電極（例えばソース電極）１１１が一次側接続体１９０によって電気的に接続されてもよい。
【００２８】
一次側電子素子１１０は複数設けられ、そのうちの１つの一次側電子素子１１０又は２つ以上の一次側電子素子１１０がはんだ等の導電性接着剤を介して一次側延在部６０に設けられ、残りの一次側電子素子１１０ははんだ等の導電性接着剤を介して一次側基板１２０に設けられてもよい。図８に示す態様では、最も左側の一次側電子素子１１０と最も右側の一次側電子素子１１０が一次側延在部６０に設けられ、真ん中の２つの一次側電子素子１１０が一次側基板１２０に設けられた一次側導体層１３０に設けられている。
【００２９】
図９に示すように、二次側延在部７０の一方側及び他方側の各々に二次側電子素子２１０が設けられてもよい。一例として、二次側延在部７０の他方側に位置する二次側電子素子２１０の二次側第一電極（例えばソース電極）２１１と二次側延在部７０の一方側に位置する二次側電子素子２１０の二次側第三電極（例えばドレイン電極）２１３とが二次側延在部７０で電気的に接続されてもよい。二次側延在部７０の他方側に突出部７１が設けられ、当該突出部７１が二次側電子素子２１０の電極２１１，２１２と接続されてもよい。図８に示すように、一次側延在部６０も突出部６１を有してもよい。そして、この突出部６１が一次側電子素子１１０の電極１１１，１１２と接続されてもよい。
【００３０】
図９に示すように、二次側延在部７０の一方側に設けられた複数の二次側電子素子２１０を接続するための二次側接続体２９０が設けられてもよい。一例として、二次側延在部７０の一方側に位置する複数の二次側電子素子２１０の二次側第一電極（例えばソース電極）２１１が二次側接続体２９０によって電気的に接続されてもよい。二次側接続体２９０の他方側に突出部２９１が設けられ、当該突出部２９１が二次側電子素子２１０の電極２１１，２１２と接続されてもよい。また、図８に示すように、一次側接続体１９０の他方側に突出部１９１が設けられ、当該突出部１９１が一次側電子素子１１０の電極１１１，１１２と接続されてもよい。
【００３１】
二次側電子素子２１０は複数設けられ、そのうちの１つの二次側電子素子２１０又は２つ以上の二次側電子素子２１０が二次側延在部７０に設けられ、その他の二次側電子素子２１０は二次側基板２２０に設けられてもよい。図９に示す態様では、２つの二次側電子素子２１０が二次側延在部７０に設けられ、２つの二次側電子素子２１０が二次側基板２２０に設けられた二次側導体層２３０に設けられている。
【００３２】
図５に示すように、一次コイル１０は、第一コイル１０ａと、第一コイル１０ａに連結された第二コイル１０ｂとを有してもよい。第一コイル１０ａの一方側に第二コイル１０ｂが設けられ、第一コイル１０ａと第二コイル１０ｂとは第一方向に沿って延びる直線状の接続部１９で連結されてもよい。接続部１９は第一方向に完全に平行になっている必要はなく、第一方向に傾斜していてもよい。「第一方向に沿って延びる」という態様には、このように第一方向に傾斜して延びる態様も含まれている。第二コイル１０ｂの一方側に二次コイル２０が設けられてもよい。
【００３３】
一次コイル１０の第一コイル１０ａ及び第二コイル１０ｂは同じ巻き数から構成されてもよいし、異なる巻き数から構成されてもよい。一例としては、一次コイル１０の第一コイル１０ａ及び第二コイル１０ｂの各々は５回の巻き数からなってもよい。二次コイル２０は巻き数が１からなってもよいし、２以上の巻き数となってもよい。二次コイル２０については巻き数が１未満となり、１回転しない態様であってもよい。
【００３４】
図１１に示すように、一次コイル１０及び二次コイル２０を通過するコア５００が設けられてもよい。コア５００は脚部５１０を有し、当該脚部５１０がコイル封止部５０に設けられた開口部５１を通過するようにして設けられてもよい。コア５００の脚部５１０はコイル封止部５０の内周面に当接するようにして設けられてもよい。コア５００の外周部はコイル封止部５０の外周を覆うようにして設けられてもよい。
【００３５】
《効果》
次に、上述した構成からなる本実施の形態による作用・効果の一例について説明する。なお、「効果」で説明するあらゆる態様を、上記構成で採用することができる。
【００３６】
本実施の形態において、図１に示すように、一次側電子素子１１０が一次コイル１０からコイル封止部５０の外方に延びた一次側延在部６０に設けられる態様を採用した場合には、配線長を短くすることができ、また電子装置の大きさを小さくすることができる。
【００３７】
同様に、二次側電子素子２１０が二次コイル２０からコイル封止部５０の外方に延びた二次側延在部７０に設けられる態様を採用した場合には、配線長を短くすることができ、また電子装置の大きさを小さくすることができる。
【００３８】
図３に示すように、一次コイル１０及び二次コイル２０を封止する封止樹脂からなるコイル封止部５０が設けられる態様を採用した場合には、従前利用されていたような絶縁シートを設ける必要がなくなり、ひいては絶縁シートの間に不可避的に形成されていた空間をなくすことができる。このため、熱伝導率を上げることができ、放熱性を高めることができる。
【００３９】
図１に示すように、一次コイル１０と一次側封止部１５０内まで延びる一次側延在部６０とが一体になっている態様を採用した場合には、一次コイル１０と一次側延在部６０とを例えばリードフレームのような部材に形成しておき、不要な部分を除去することで一次コイル１０と一次側延在部６０が一体となった部材を容易に製造することができる点で有益である。一次側延在部６０が、一次側第一延在部６０ａと、一次側第一延在部６０ａよりも一方側に位置する一次側第二延在部６０ｂを有してもよい。図４に示す態様では、一次コイル１０の第一コイル１０ａと一次側第一延在部６０ａとがリードフレームによって構成されており、リードフレームの外枠を除去することで、第一コイル１０ａと一次側第一延在部６０ａとが一体となった部材を形成できる。一次コイル１０の第二コイル１０ｂと、一次側第一延在部６０ａよりも一方側に設けられた一次側第二延在部６０ｂとがリードフレームによって構成されてもよい。この場合には、リードフレームの外枠を除去することで、第二コイル１０ｂと一次側第二延在部６０ｂとが一体となった部材を形成できる。
【００４０】
二次コイル２０と二次側封止部２５０内まで延びる二次側延在部７０とが一体になっている態様を採用した場合には、二次コイル２０と二次側延在部７０とを例えばリードフレームのような部材に形成しておき、不要な部分を除去することで次コイルと二次側延在部７０が一体となった部材を容易に製造することができる。
【００４１】
図１０に示すように、コイル封止部５０の他方面（裏面）、一次側封止部１５０の他方面（裏面）及び二次側封止部２５０の他方面（裏面）にヒートシンクのような冷却体３５０が設けられるようにしてもよい。このような態様を採用した場合には、コイル封止部５０、一次側封止部１５０及び二次側封止部２５０を冷却体３５０で冷却することができる点で有益である。
【００４２】
第２の実施の形態
次に、本発明の第２の実施の形態について説明する。
【００４３】
本実施の形態では、図１２に示すように、一次側電子素子１１０が、一次側第一電子素子１１０ａと、一次側第一電子素子１１０ａに設けられた一次側接続体１１５と、一次側接続体１１５に設けられた一次側第二電子素子１１０ｂと、を有する態様となっている。その他の構成については、第１の実施の形態と同様であり、第１の実施の形態で説明したあらゆる態様を採用することができる。第１の実施の形態で説明した部材については同じ符号を用いて説明する。
【００４４】
一次側電子素子１１０の一次側第一電子素子１１０ａは一次側延在部６０にはんだ等の導電性接着剤を介して設けられてもよい。一次側第一電子素子１１０ａと一次側接続体１１５との間及び一次側接続体１１５と一次側第二電子素子１１０ｂとの間にもはんだ等の導電性接着剤が設けられてもよい。
【００４５】
本実施の形態では、一次側電子素子１１０が一次側延在部６０の一方側だけに設けられてもよい（図８の最も右側の一次側電子素子１１０参照。この一次側電子素子１１０が一次側第一電子素子１１０ａ、一次側接続体１１５及び一次側第二電子素子１１０ｂを有する態様に置き換わることになる。）。但し、このような態様に限られることはなく、一次側電子素子１１０が一次側延在部６０の他方側だけに設けられてもよい。また、一次側電子素子１１０が一次側延在部６０の一方側及び他方側の両方に設けられてもよい（図８の左側の２つの一次側電子素子１１０参照。これら２つの一次側電子素子１１０の各々が一次側第一電子素子１１０ａ、一次側接続体１１５及び一次側第二電子素子１１０ｂを有する態様に置き換わることになる。）。
【００４６】
第３の実施の形態
次に、本発明の第３の実施の形態について説明する。
【００４７】
本実施の形態では、図１３に示すように、二次側電子素子２１０が、二次側第一電子素子２１０ａと、二次側第一電子素子２１０ａに設けられた二次側接続体２１５と、二次側接続体２１５に設けられた二次側第二電子素子２１０ｂと、を有する態様となっている。その他の構成については、第１の実施の形態又は第２の実施の形態と同様であり、上記各実施の形態で説明したあらゆる態様を採用することができる。上記各実施の形態で説明した部材については同じ符号を用いて説明する。
【００４８】
二次側電子素子２１０の二次側第一電子素子２１０ａは二次側延在部７０にはんだ等の導電性接着剤を介して設けられてもよい。二次側第一電子素子２１０ａと二次側接続体２１５との間及び二次側接続体２１５と二次側第二電子素子２１０ｂとの間にもはんだ等の導電性接着剤が設けられてもよい。
【００４９】
本実施の形態では、二次側電子素子２１０が二次側延在部７０の一方側だけに設けられてもよい。但し、このような態様に限られることはなく、二次側電子素子２１０が二次側延在部７０の他方側だけに設けられてもよい。また、一次側電子素子１１０が一次側延在部６０の一方側及び他方側の両方に設けられてもよい（図９の左側又は右側の２つの二次側電子素子２１０参照。これら２つの二次側電子素子１１０の各々が二次側第一電子素子２１０ａ、二次側接続体２１５及び二次側第二電子素子２１０ｂを有する態様に置き換わることになる。）。
【００５０】
第４の実施の形態
次に、本発明の第４の実施の形態について説明する。
【００５１】
図１４に示すように、本実施の形態では、コイル封止部５０と一次側封止部１５０との間の一次側延在部６０に第一屈曲部３１０が設けられる態様となっている。その他の構成については、第１乃至第３の実施の形態と同様であり、上記各実施の形態で説明したあらゆる態様を採用することができる。上記各実施の形態で説明した部材については同じ符号を用いて説明する。
【００５２】
本実施の形態によれば、コイル封止部５０と二次側封止部２５０を面方向に沿って配置するとともに、一次側封止部１５０を当該面方向に対して所定の角度（例えば６０度、９０度、１２０度等）で屈曲した方向に沿って配置することができる。このため、ある面方向での大きさを小さくすることができる。
【００５３】
また、このように屈曲させることで、一次側封止部１５０内に封入された一次側電子素子１１０から二次側封止部２５０に封入された二次側電子素子２１０へのノイズ等の影響を出にくくし、かつ二次側電子素子２１０から一次側封止部１５０に封入された二次側電子素子２１０へのノイズ等の影響を出にくくすることができる。
【００５４】
本実施の形態でも、コイル封止部５０の裏面、一次側封止部１５０の裏面及び二次側封止部２５０の裏面にヒートシンクのような冷却体３５０が設けられるようにしてもよい。このような態様を採用した場合には、コイル封止部５０、一次側封止部１５０及び二次側封止部２５０を冷却体３５０で冷却することができる点で有益である。
【００５５】
第５の実施の形態
次に、本発明の第５の実施の形態について説明する。
【００５６】
図１５に示すように、本実施の形態では、コイル封止部５０と二次側封止部２５０との間の二次側延在部７０に第二屈曲部３２０が設けられる態様となっている。その他の構成については、第１乃至第３の実施の形態と同様であり、上記各実施の形態で説明したあらゆる態様を採用することができる。上記各実施の形態で説明した部材については同じ符号を用いて説明する。
【００５７】
本態様によれば、コイル封止部５０と一次側封止部１５０を面方向に沿って配置するとともに、二次側封止部２５０を当該面方向に対して所定の角度（例えば６０度、９０度、１２０度等）で屈曲した方向に沿って配置することができる。このため、ある面方向での大きさを小さくすることができる。
【００５８】
また、このように屈曲させることで、一次側封止部１５０内に封入された一次側電子素子１１０から二次側封止部２５０に封入された二次側電子素子２１０へのノイズ等の影響を出にくくし、かつ二次側電子素子２１０から一次側封止部１５０に封入された二次側電子素子２１０へのノイズ等の影響を出にくくすることができる。
【００５９】
本実施の形態でも、コイル封止部５０の裏面、一次側封止部１５０の裏面及び二次側封止部２５０の裏面にヒートシンクのような冷却体３５０が設けられるようにしてもよい。このような態様を採用した場合には、コイル封止部５０、一次側封止部１５０及び二次側封止部２５０を冷却体３５０で冷却することができる点で有益である。
【００６０】
第６の実施の形態
次に、本発明の第６の実施の形態について説明する。
【００６１】
図１６に示すように、本実施の形態では、コイル封止部５０と一次側封止部１５０との間の一次側延在部６０に第一屈曲部３１０が設けられ、コイル封止部５０と二次側封止部２５０との間の二次側延在部７０に第二屈曲部３２０が設けられる態様となっている。その他の構成については、第１乃至第３の実施の形態と同様であり、上記各実施の形態で説明したあらゆる態様を採用することができる。上記各実施の形態で説明した部材については同じ符号を用いて説明する。
【００６２】
本実施の形態によれば、コイル封止部５０、一次側封止部１５０及び二次側封止部２５０の各々を異なる面方向に沿って配置することができる。また、一次側封止部１５０と二次側封止部２５０に関しては、互いの裏面が対面するように配置することもできる。コイル封止部５０と一次側封止部１５０とが第一角度（例えば６０度、９０度、１２０度等）の角度で屈曲して配置され、コイル封止部５０と二次側封止部２５０とが第二角度（例えば６０度、９０度、１２０度等）の角度で屈曲して配置されてもよい。
【００６３】
本実施の形態でも、コイル封止部５０の裏面、一次側封止部１５０の裏面及び二次側封止部２５０の裏面にヒートシンクのような冷却体３５０が設けられるようにしてもよい。このような態様を採用した場合には、コイル封止部５０、一次側封止部１５０及び二次側封止部２５０を冷却体３５０で冷却することができる点で有益である。一例として、例えばコイル封止部５０と一次側封止部１５０とが９０度で屈曲して配置され、コイル封止部５０と二次側封止部２５０とが９０度で屈曲して配置される態様を採用した場合には、ヒートシンク等からなる冷却体３５０の３つの面の各々に対してコイル封止部５０の裏面、一次側封止部１５０の裏面及び二次側封止部２５０の裏面が当接するように配置することができ、高い冷却効果を期待できる点で有益である。
【００６４】
一次側端子６０と二次側端子７０とは直線状に沿って設けられる必要はなく、例えば面方向で互いに直交して設けられてもよいし、面方向で９０度ではない角度で公差するようにして設けられてもよい。図１７では、一次側端子６０と二次側端子７０とが面方向で互いに直交する態様が示されている。このように、本実施の形態によれば、面方向のあらゆる方向で一次側封止部１５０及び二次側封止部２５０を配置し、かつ第一屈曲部３１０及び第二屈曲部３２０を用いて曲げることができる。
【００６５】
上述した各実施の形態の記載及び図面の開示は、請求の範囲に記載された発明を説明するための一例に過ぎず、上述した実施の形態の記載又は図面の開示によって請求の範囲に記載された発明が限定されることはない。また、出願当初の請求項の記載はあくまでも一例であり、明細書、図面等の記載に基づき、請求項の記載を適宜変更することもできる。
【符号の説明】
【００６６】
１０        一次コイル
１０ａ      第一コイル
１０ｂ      第二コイル
２０        二次コイル
５０        コイル封止部
６０        一次側延在部
７０        二次側延在部
１１０      一次側電子素子
１１０ａ    一次側第一電子素子
１１０ｂ    一次側第二電子素子
１１５      一次側接続体
２１０      二次側電子素子
２１０ａ    二次側第一電子素子
２１０ｂ    二次側第二電子素子
２１５      二次側接続体
３１０      第一屈曲部
３２０      第二屈曲部
３５０      冷却体
【図１】
2020003482.tif 000003
【図２】
2020003482.tif 000004
【図３】
2020003482.tif 000005
【図４】
2020003482.tif 000006
【図５】
2020003482.tif 000007
【図６】
2020003482.tif 000008
【図７】
2020003482.tif 000009
【図８】
2020003482.tif 000010
【図９】
2020003482.tif 000011
【図１０】
2020003482.tif 000012
【図１１】
2020003482.tif 000013
【図１２】
2020003482.tif 000014
【図１３】
2020003482.tif 000015
【図１４】
2020003482.tif 000016
【図１５】
2020003482.tif 000017
【図１６】
2020003482.tif 000018
【図１７】
2020003482.tif 000019
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
一次コイルと、
前記一次コイルに対向して配置される二次コイルと、
前記一次コイル及び前記二次コイルを封止する封止樹脂からなるコイル封止部と、
前記一次コイルに電気的に接続された一次側電子素子と、
前記二次コイルに電気的に接続された二次側電子素子と、
を備え、
前記一次側電子素子は前記一次コイルから前記コイル封止部の外方に延びた一次側延在部の一方側及び他方側の両方に設けられる、又は前記二次側電子素子は前記二次コイルから前記コイル封止部の外方に延びた二次側延在部の一方側及び他方側の両方に設けられる電子装置。
【請求項２】
前記一次側電子素子は前記一次コイルから前記コイル封止部の外方に延びた一次側延在部に設けられ、
前記二次側電子素子は前記二次コイルから前記コイル封止部の外方に延びた二次側延在部に設けられる請求項１に記載の電子装置。
【請求項３】
前記一次側電子素子は、一次側第一電子素子と、前記一次側第一電子素子に設けられた一次側接続体と、前記一次側接続体に設けられた一次側第二電子素子と、を有する請求項１に記載の電子装置。
【請求項４】
前記二次側電子素子は、二次側第一電子素子と、前記二次側第一電子素子に設けられた二次側接続体と、前記二次側接続体に設けられた二次側第二電子素子と、を有する請求項１に記載の電子装置。
【請求項５】
前記一次コイルは、第一コイルと、前記第一コイルに連結された第二コイルとを有することを特徴とする請求項１に記載の電子装置。
【請求項６】
前記第一コイルはリードフレームからなる請求項５に記載の電子装置。
【請求項７】
前記一次側電子素子は前記一次コイルから前記コイル封止部の外方に延びた一次側延在部に設けられ、
前記コイル封止部と前記一次側電子素子との間において、前記一次側延在部に第一屈曲部が設けられる請求項１に記載の電子装置。
【請求項８】
前記二次側電子素子は前記二次コイルから前記コイル封止部の外方に延びた二次側延在部に設けられ、
前記コイル封止部と前記二次側電子素子との間において、前記二次側延在部に第二屈曲部が設けられる請求項１に記載の電子装置。
【請求項９】
前記一次側電子素子は前記一次コイルから前記コイル封止部の外方に延びた一次側延在部に設けられ、
前記コイル封止部と前記一次側電子素子との間において、前記一次側延在部に第一屈曲部が設けられ、
前記二次側電子素子は前記二次コイルから前記コイル封止部の外方に延びた二次側延在部に設けられ、
前記コイル封止部と前記二次側電子素子との間において、前記二次側延在部に第二屈曲部が設けられ、
前記一次側電子素子を封止する一次側封止部が設けられ、
前記二次側電子素子を封止する二次側封止部が設けられ、
前記コイル封止部の裏面、前記一次側封止部の裏面及び前記二次側封止部の裏面は冷却体に当節可能となる請求項１に記載の電子装置。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
一次コイルと、
前記一次コイルに対向して配置される二次コイルと、
前記一次コイル及び前記二次コイルを封止する封止樹脂からなるコイル封止部と、
前記一次コイルに電気的に接続された一次側電子素子と、
前記二次コイルに電気的に接続された二次側電子素子と、
を備え、
前記一次側電子素子は前記一次コイルから前記コイル封止部の外方に延びた一次側延在部に設けられる、又は前記二次側電子素子は前記二次コイルから前記コイル封止部の外方に延びた二次側延在部に設けられる電子装置。
【請求項２】
前記一次側電子素子は前記一次コイルから前記コイル封止部の外方に延びた一次側延在部に設けられ、
前記二次側電子素子は前記二次コイルから前記コイル封止部の外方に延びた二次側延在部に設けられる請求項１に記載の電子装置。
【請求項３】
前記一次側電子素子は、一次側第一電子素子と、前記一次側第一電子素子に設けられた一次側接続体と、前記一次側接続体に設けられた一次側第二電子素子と、を有する請求項１に記載の電子装置。
【請求項４】
前記二次側電子素子は、二次側第一電子素子と、前記二次側第一電子素子に設けられた二次側接続体と、前記二次側接続体に設けられた二次側第二電子素子と、を有する請求項１に記載の電子装置。
【請求項５】
前記一次コイルは、第一コイルと、前記第一コイルに連結された第二コイルとを有することを特徴とする請求項１に記載の電子装置。
【請求項６】
前記第一コイルはリードフレームからなる請求項５に記載の電子装置。
【請求項７】
前記一次側電子素子は前記一次コイルから前記コイル封止部の外方に延びた一次側延在部に設けられ、
前記コイル封止部と前記一次側電子素子との間において、前記一次側延在部に第一屈曲部が設けられる請求項１に記載の電子装置。
【請求項８】
前記二次側電子素子は前記二次コイルから前記コイル封止部の外方に延びた二次側延在部に設けられ、
前記コイル封止部と前記二次側電子素子との間において、前記二次側延在部に第二屈曲部が設けられる請求項１に記載の電子装置。
【請求項９】
前記一次側電子素子は前記一次コイルから前記コイル封止部の外方に延びた一次側延在部に設けられ、
前記コイル封止部と前記一次側電子素子との間において、前記一次側延在部に第一屈曲部が設けられ、
前記二次側電子素子は前記二次コイルから前記コイル封止部の外方に延びた二次側延在部に設けられ、
前記コイル封止部と前記二次側電子素子との間において、前記二次側延在部に第二屈曲部が設けられ、
前記一次側電子素子を封止する一次側封止部が設けられ、
前記二次側電子素子を封止する二次側封止部が設けられ、
前記コイル封止部の裏面、前記一次側封止部の裏面及び前記二次側封止部の裏面は冷却体に当節可能となる請求項１に記載の電子装置。
【国際調査報告】
2020003482.tif 000020
2020003482.tif 000021
2020003482.tif 000022
2020003482.tif 000023